(57)【要約】      （修正有）【課題】生体管の閉塞を防止しつつ、臓器および生体管をこれらが隣接する組織による圧迫から保護することのできる臓器保護デバイスおよびこれを用いた臓器保護方法を提供する。【解決手段】臓器保護デバイス１は、臓器および当該臓器と連結した生体管の少なくとも一部を収納する収納容器２を有し、収納容器２が臓器を収納する第１の収納部４と、生体管の少なくとも一部を収納する第２の収納部５とを有し、第２の収納部５は、生体管内にある管腔が閉塞しないように生体管を支持可能に構成されている。【選択図】図１
2014144179.tif 000002
【特許請求の範囲】
【請求項１】
臓器および当該臓器と連結した生体管の少なくとも一部を収納する収納容器を有し、
収納容器が、臓器を収納する第１の収納部と、生体管の少なくとも一部を収納する第２の収納部とを有し、
第２の収納部は、生体管内にある管腔が閉塞しないように生体管を支持可能に構成されている、臓器保護デバイス。
【請求項２】
第２の収納部は、生体管を支持するための少なくとも１つの柱状体を含んで構成されている、請求項１に記載の臓器保護デバイス。
【請求項３】
柱状体が、収納容器の内壁に脱着可能に構成されている、請求項２に記載の臓器保護デバイス。
【請求項４】
収納容器に、細胞が通過不可能であり、かつ液体が通過可能な開口部が設けられている、請求項１〜３のいずれか一項に記載の臓器保護デバイス。
【請求項５】
さらに、臓器保護デバイスの位置を外部環境に対して固定する固定部材を有する、請求項１〜４のいずれか一項に記載の臓器保護デバイス。
【請求項６】
請求項１〜５のいずれか一項に記載の臓器保護デバイスの内部空間に臓器および臓器と連結した生体管の少なくとも一部を収納する、臓器保護方法。
【発明の詳細な説明】
【技術分野】
【０００１】
本発明は、臓器保護デバイスに関する。
【背景技術】
【０００２】
体内において腫瘍が発生した場合など体内のある組織が膨張した場合において、隣接する組織は、膨張した組織による圧迫を受ける。
例えば、肝臓癌等により肝臓が肥大化した場合には隣接する胆嚢等の臓器や胆管、血管等の生体管が圧迫される。さらに、このような場合、生体管が圧迫により折れ曲がり、閉塞することがある。
【０００３】
特許文献１には、医学的診断および処置のために、臓器の保持、移動等の操作を行うことのできる、臓器の周囲に拡張するバッグ形装置が開示されている。
【０００４】
また、特許文献２には、容易かつ確実に体内臓器の表面近傍の所定領域に薬剤を投与することを目的として、少なくとも裏面の一部が体内臓器表面に密着し、少なくとも一部が柔軟なサポーター部と、サポーター部の表面から延伸する柔軟なチューブとを備え、サポーター部の裏面にチューブの内部通路と連通する開口が設けられたカテーテルが開示されている。
【先行技術文献】
【特許文献】
【０００５】
【特許文献１】特表２００５−５１６６６０号公報
【特許文献２】特開２０１０−１２５２２７号公報
【発明の概要】
【発明が解決しようとする課題】
【０００６】
しかしながら、特許文献１に記載のバッグ形装置や特許文献２に記載のカテーテルは、臓器を隣接する組織による圧迫から保護するものではなく、また、生体管を覆うものがないため、生体管を隣接する組織による圧迫から保護することができず、生体管の閉塞を防止することもできない。
【０００７】
したがって、本発明の目的は、生体管の閉塞を防止しつつ、臓器および生体管をこれらが隣接する組織による圧迫から保護することのできる臓器保護デバイスおよびこれを用いた臓器保護方法を提供することにある。
【課題を解決するための手段】
【０００８】
本発明者は、鋭意検討した結果、臓器と連結された生体管を支持しつつ容器内に収納することにより、臓器のみならず生体管の保護も可能となることを見出し、本願発明を完成するに至った。
【０００９】
すなわち、本発明は以下に関する。
（１）  臓器および当該臓器と連結した生体管の少なくとも一部を収納する収納容器を有し、
収納容器が、臓器を収納する第１の収納部と、生体管の少なくとも一部を収納する第２の収納部とを有し、
第２の収納部は、生体管内にある管腔が閉塞しないように生体管を支持可能に構成されている、臓器保護デバイス。
（２）  第２の収納部は、生体管を支持するための少なくとも１つの柱状体を含んで構成されている、（１）に記載の臓器保護デバイス。
（３）  柱状体が、収納容器の内壁に脱着可能に構成されている、（２）に記載の臓器保護デバイス。
（４）  収納容器に、細胞が通過不可能であり、かつ液体が通過可能な開口部が設けられている、（１）〜（３）のいずれかに記載の臓器保護デバイス。
（５）  さらに、臓器保護デバイスの位置を外部環境に対して固定する固定部材を有する、（１）〜（４）のいずれかに記載の臓器保護デバイス。
（６）  （１）〜（５）のいずれか一項に記載の臓器保護デバイスの内部空間に臓器および臓器と連結した生体管の少なくとも一部を収納する、臓器保護方法。
【発明の効果】
【００１０】
本発明によれば、生体管の閉塞を防止しつつ、臓器および生体管をこれらが隣接する組織による圧迫から保護することのできる臓器保護デバイスおよびこれを用いた臓器保護方法を提供することができる。
【図面の簡単な説明】
【００１１】
【図１】図１は、本発明の好適な実施態様に係る臓器保護デバイスの斜視図である。
【図２】図２は、図１に示す臓器保護デバイスのケーシングを開いた状態の平面図である。
【図３】図３は、本発明の変形態様に係る臓器保護デバイスの斜視図である。
【図４】図４は、図３に示す臓器保護デバイスのケーシングを開いた状態の平面図である。
【図５】図５は、本発明の他の変形態様に係る臓器保護デバイスの部分拡大図である。
【図６】図６は、本発明の他の変形態様に係る臓器保護デバイスの部分拡大図である。
【図７】図７は、本発明の方法の好適な実施態様を説明する概略図である。
【発明を実施するための形態】
【００１２】
以下、本発明を図面を参照しつつ、好適な実施態様に基づいて詳細に説明する。
【００１３】
まず、本発明の好適な実施態様に係る臓器保護デバイスについて説明する。
図１は、本発明の好適な実施態様に係る臓器保護デバイスの斜視図、図２は、図１に示す臓器保護デバイスのケーシングを開いた状態の平面図である。
【００１４】
臓器保護デバイス１は、臓器および当該臓器と連通する生体管の少なくとも一部を収納することにより、臓器および生体管を、隣接する組織からの圧迫から保護するものである。
【００１５】
ここで、本明細書中において、本発明に適用可能な臓器としては、特に限定されないが、例えば、心臓、肺、肝臓、膵臓、胆嚢、脾臓、胃回腸、膀胱、腎臓等が挙げられる。また、臓器と連通する生体管としては、特に限定されず、例えば、血管、気管、食道、胆管（胆嚢管、総胆管）、左肝管、右肝管、リンパ管、尿道、横行結腸、上行結腸、下行結腸、盲腸、虫垂、尿管等が挙げられる。
なお、本実施態様においては、臓器が胆嚢１００であり、臓器と連結した生体管が胆嚢管１０１である場合について説明する。
【００１６】
図１、図２に示すように、臓器保護デバイス１は、胆嚢（臓器）１００および胆嚢管（生体管）１０１の少なくとも一部を収納する収納容器２を有している。
【００１７】
収納容器２は、球体と当該球体に連結される筒体とにより構成されるケーシング３によってその外形が構成され、胆嚢１００を収納する第１の収納部４と、胆嚢管１０１を収納する第２の収納部５とを有している。
【００１８】
また、収納容器２は、ケーシング３の長手方向における中心軸ｌが通過する分割面３１によって、第１の収納部４および第２の収納部５がそれぞれ２分割されるように分割可能に構成されている。また、ケーシング３の球体部分の分割面３１を通る側面には、分割面３１と垂直な平面３２が形成されており、平面３２と分割面３１との交差部位には、ヒンジ３３が設けられている。さらに、ケーシング３の球体部分の平面３２と反対側の分割面３１に対応する位置には、係止部３４が設けられている。これにより、ヒンジ３３を軸とした収納容器２の開閉が可能となっており、胆嚢１００および胆嚢管１０１を容易に収納できる。
【００１９】
また、ケーシング３の外表面には、突出し、その突出部分が貫通孔３５１を有する連結部３５が設けられている。連結部３５は、ケーシング３と後述する固定部材６を連結する。
【００２０】
また、ケーシング３は、外部環境２００にある臓器等による圧迫から胆嚢１００および胆嚢管１０１を保護するために適度の弾力性を有するとともに、適度の柔軟性を有することが好ましい。この場合、ケーシング３を構成する材料としては、金属や樹脂が挙げられる。金属としては、例えば、Ｎｉ−Ｔｉ系合金のような擬弾性合金（超弾性合金も含む）、形状記憶合金、ステンレス鋼（例えば、ＳＵＳ３０４、ＳＵＳ３０３、ＳＵＳ３１６、ＳＵＳ３１６Ｌ、ＳＵＳ３１６Ｊ１、ＳＵＳ３１６Ｊ１Ｌ、ＳＵＳ４０５、ＳＵＳ４３０、ＳＵＳ４３４、ＳＵＳ４４４、ＳＵＳ４２９、ＳＵＳ４３０Ｆ、ＳＵＳ３０２等、ＳＵＳの全品種）、コバルト系合金、金、白金のような貴金属、タングステン系合金、炭素系材料（ビアノ線を含む）等が挙げられる。樹脂としては、例えば、ポリオレフィン（例えば、ポリエチレン、ポリプロピレン、ポリブテン、エチレン−プロピレン共重合体、エチレン−酢酸ビニル共重合体、アイオノマー、またはこれらの２種以上の混合物等）、ポリ塩化ビニル、ポリアミド、ポリアミドエラストマー、ポリエステル、ポリエステルエラストマー、ポリウレタン、ポリウレタンエラストマー、ポリイミド、フッ素樹脂等の高分子材料またはこれらの混合物、あるいは、上記のうち２種以上の高分子材料が挙げられる。また、ケーシング３は、これら金属や樹脂の複合物を適用することもできる。
【００２１】
なお、臓器保護デバイス１を構成するケーシング３以外の各部材についても、特に言及がない限り、上記と同様の材料を１種または２種以上組み合わせて適用することができる。
またケーシング３の壁部分の厚さは、特に限定されないが、例えば、０．１〜１０ｍｍとすることができる。
【００２２】
第１の収納部４は、その外形が球状をなしており、また、第１の収納部４が形成する内部空間４１には、胆嚢１００の全体を収納することができる。そして、第１の収納部４は、胆嚢１００を外部環境２００に存在する他の臓器等による圧迫から保護する。
【００２３】
また、図２に示すように、第１の収納部４は、収納容器２の中心軸ｌ方向における一方側において開口する第１の開口部４２が設けられており、第１の開口部４２を介して第２の収納部５と連通する。
また、第１の収納部４の第１の開口部４２が設けられた側の反対側には、収納容器２の中心軸１の周方向にわたり複数列に渡って設けられた複数の円形の第２の開口部４３が設けられている。
【００２４】
第２の開口部４３は、収納容器２の内部側から膜４４によって覆われている。膜４４は、癌細胞等の細胞の通過が不可能であり、一方で抗癌剤等の薬液や漿液等の液体が通過可能な程度の大きさの細孔を有する膜である。これにより、第２の開口部４３は、細胞が通過不可能であり、かつ液体が通過可能なものとなる。したがって、例えば、周囲の組織において癌細胞等が増殖している場合であっても、癌細胞が第２の開口部４３を通過することが防止され、癌細胞の胆嚢１００および胆嚢管１０１への浸潤が防止される。一方で、薬液や漿液等の液体は通過可能であるため、薬液を胆嚢１００および胆嚢管１０１へ作用させたり、漿液を収納容器２内に蓄積したりすることが可能である。
【００２５】
膜４４を構成する材料としては、上述したような細孔を有する膜であればよく、特に限定されないが、例えば、織布（織物、編物）、不織布等の所定のメッシュを有する繊維材料（メッシュ生地）や、半透膜等の多孔質膜等を１種または２種以上組み合わせて用いることができる。特に、メッシュ生地は、目開きが比較的均一であることから、好適に用いることができる。
【００２６】
また、メッシュ生地の目開きまたは多孔質膜の平均孔径は、特に限定されないが、０．０１〜１０μｍであることが好ましく、０．１〜１μｍであることがより好ましい。
また、第１の収納部４の内径は、特に限定されず、適宜収納される臓器によって設定可能であるが、例えば、１０ｍｍ〜２００ｍｍ、好ましくは、３０〜１００ｍｍとすることができる。
【００２７】
第２の収納部５は、筒形状をなし、その筒形状の内部には、内部空間５１が形成されている。筒形状の一端は第１の収納部４と第１の開口部４２を共有するとともに、他端は外部環境２００に向けて開口した第３の開口部５２を形成している。
【００２８】
第１の収納部４においては胆嚢１００が収納されるが、胆嚢１００と連結した胆嚢管１０１の少なくとも一部は第１の開口部４２を通過して第２の収納部５に収納され、さらに胆嚢管１０１の残部は第３の開口部５２を通過して外部環境２００に露出する。
【００２９】
第２の収納部５は、一対の内壁５３１、５３２が、ケーシング３の分割時における分割面３１と略平行に形成され、これに対応する形状の内部空間５１を有している。
【００３０】
また、内壁５３１、内壁５３２には、複数の孔５４１、５４２が、内壁５３１と内壁５３２とで位置が対応するように、それぞれ、同一の深さで設けられている。そして、孔５４１、５４２には、柱状体５５が、複数配置される。
【００３１】
柱状体５５は、胆嚢管１０１を支持する円柱体であり、内壁５３１、５３２の間で内壁５３１、５３２に支持されるように、任意の孔５４１、５４２に対して脱着可能に構成されている。また、内壁５３１、５３２は、平行に配置されているため、柱状体５５の長さは常に一定である。したがって、胆嚢管１０１の長さ、管径等に応じて、適宜柱状体５５の設置位置および数を変更できる。
また、柱状体５５の外径は、特に限定されないが、例えば、０．１〜２０ｍｍとすることができる。
【００３２】
以上のように、柱状体５５を胆嚢管１０１の支持体として用いることにより、第２の収納部５は、胆嚢管１０１内にある管腔が閉塞しないように胆嚢管１０１を支持可能である。また、第２の収納部５は、胆嚢管１０１を外部環境２００に存在する他の臓器等による圧迫から保護する。
【００３３】
また、第３の開口部５２は、胆嚢管１０１の管腔が通過可能な程度の大きさの開口を残して、適宜膜により覆われていてもよい。このような膜は、上述した膜４４と同様の材料である。
【００３４】
また、第２の収納部５の外径は、保護される生体管によって適宜設定でき、特に限定されないが、例えば、５〜１００ｍｍとすることができる。
さらに、内部空間５１の一辺の長さは、特に限定されず、例えば、２０〜１００ｍｍとすることができる。
【００３５】
また、上述したように、ケーシング３の連結部３５には、固定部材６が連結されている。固定部材６は、ひも状の部材であり、例えば、総胆管１０２やドレンチューブなどに固定部材６を結び付けることにより、臓器保護デバイス１の位置を体内の臓器保護デバイスの外部環境２００に対して固定することができる。これにより、臓器保護デバイス１が不本意に移動することが防止でき、この結果、胆嚢管１０１が伸びて管腔が閉塞することがより確実に防止される。
【００３６】
なお、上述した臓器保護デバイス１の各構成部材の大きさ等は、特に言及がない場合であっても、適用する臓器、生体管の種類、状態や、操作性等の各種使用条件に合わせて、当業者が適宜設定できることは言うまでもない。
【００３７】
上述した臓器保護デバイス１の変形態様としては、例えば、柱状体が第２の収納部のケーシングに貫通可能なものであり、柱状体に対応する孔が省略された態様が挙げられる。この場合、柱状体を第２の収納部のケーシングの任意の位置に貫通させて設置することができるため、より適用する生体管を支持しやすいように柱状体の配置を設定することができる。また、この態様において、第２の収納部を構成するケーシングは、柱状体が容易に貫通できるよう十分な柔軟性を有することが好ましい。また、この態様において、第２の収納部に設置後の柱状体の両端部は、外部環境２００にある臓器等を損傷させないように、丸みを帯びた部材によりキャッピングがなされていることが好ましい。
【００３８】
上述した臓器保護デバイス１の他の変形態様としては、例えば、比較的径の大きな柱状体を用いる態様が挙げられる。この場合、柱状体に対して生体管を巻きつけて、生体管の閉塞を防止することができる。また、この場合、用いる柱状体を複数ではなく１本とすることも可能であり、対応して、柱状体を着脱するための孔を１つとすることも可能であるし、柱状体が脱着可能でなく内壁のいずれか一方に固定されていることも可能である。
また、この場合、柱状体の外径を例えば、１〜１００ｍｍとすることができる。
【００３９】
上述した臓器保護デバイス１の他の変形態様としては、例えば、柱状体がいずれか１の内壁に固定された態様が挙げられる。この場合、柱状体は、当該内壁と向かい合う内壁に対し脱着可能に構成されていてもよいし、接触しないように構成されていてもよい。
【００４０】
また、上述した臓器保護デバイス１の他の変形態様としては、例えば、図３、図４に示すように、第２の収納部５の孔５４１、５４２および柱状体５５に代えて、生体管を収納する、第１の開口部４２Ａから第３の開口部５２Ａまで貫通した収納管５６を用いたものが挙げられる。なお、図中、臓器保護デバイス１の構成部材と同一の構成部材については、同一の符号を付している。後述する図５、６についても同様である。
【００４１】
以下、臓器保護デバイス１Ａの臓器保護デバイス１との相違点を中心に説明し、一致点については説明を省略する。本変形態様の臓器保護デバイス１Ａは、その収納容器２Ａが有する第２の収納部５Ａの構成が、臓器保護デバイス１の第２の収納部５の構成と異なっている。
【００４２】
図３に示すように、収納容器２Ａの外形を形成するケーシング３Ａは、球体と当該球体に連結される円柱体とにより構成され、ケーシング３Ａの長手方向における中心軸ｌＡが通過する分割面３１Ａによって、第１の収納部４および第２の収納部５Ａがそれぞれ２分割されるように分割可能に構成されている。
【００４３】
第２の収納部５Ａは、円柱状をなし、その円柱の上面から底面に貫通する収納管５６を有している。
図４に示すように、収納管５６は、第２の収納部５Ａ中を蛇行するように形成され、一端に第１の収納部４と共有する第１の開口部４２Ａを、他端に外部環境２００へ向け開口した第３の開口部５２Ａを有している。このような収納管５６は、胆嚢管１０１の少なくとも一部を収納することができる。
【００４４】
また、図３、図４に示すように、収納管５６は、ケーシング３Ａの分割面３１Ａに沿って形成されており、収納容器２Ａを開いた際には、ケーシング３Ａの分割面３１Ａに沿って形成された平面状の内壁５３１Ａ、５３２Ａ上に、それぞれ溝５７１、５７２として分割される。このように、収納容器２Ａを開いた際に、収納管５６が複数の溝５７１、５７２に分割されることにより、胆嚢管１０１を溝５７１または５７２上に配置することができる。さらに胆嚢管１０１が溝５７１または５７２上に配置された状態で収納容器２Ａを閉じることにより、胆嚢管１０１が収納管５６内に収納される。
【００４５】
さらに、溝５７１、５７２の湾曲部５８１、５８２においては、それぞれ、湾曲していない部分に対し、その溝幅がより大きく形成されている。これにより、胆嚢管１０１が、想定する長さと異なる場合であっても、湾曲部５８１、５８２において胆嚢管１０１の位置を変更することにより、収納管５６内に胆嚢管１０１を収納できる。このような構成によっても胆嚢管１０１を、その管腔が閉塞しないように、支持可能である。
【００４６】
また、上述した臓器保護デバイス１の他の変形態様としては、例えば、図５および図６に示すように、第１の収納部４における第２の開口部４３に代えて、第１の収納部４Ａの第１の開口部４２とは反対側の部位周辺をスリット状の開口部４３Ａと、または第１の収納部４Ｂの第１の開口部４２とは反対側の部位周辺を格子状の開口部４３Ｂとしたものが挙げられる。開口部４３Ａの幅または開口部４３Ｂの目開きが十分に小さい場合、例えば、これらが０．０１〜１０μｍ、好ましくは０．１〜１μｍである場合には、上述した膜４４を省略することもできる。このような場合であっても、開口部４３Ａの幅または開口部４３Ｂの目開きが適度な範囲にあることにより、細胞が通過不可能であり、かつ液体が通過可能なものとなる。
【００４７】
また、上述した臓器保護デバイス１の他の変形態様としては、例えば、固定部材６の構成を変更したものが挙げられる。例えば、固定部材を帯状体としたり、ひも状部材の先端に分割可能であり内部に生体管等を狭持可能な円筒体としたりすることができる。外部環境にある生体管等の組織をこのような固定部材によって連結することにより、当該組織中にある体腔や管腔が閉塞することがより確実に防止される。
【００４８】
また、上述した臓器保護デバイス１の他の変形態様としては、例えば、複数の第２の収納部を有する態様が挙げられる。臓器に連結された生体管が複数存在する場合に、各生体管に対応させてそれぞれの第２の収納部を用いることができる。
【００４９】
なお、いずれの変形態様についても、言及した以外の他の構成要素としては、臓器保護デバイス１と同様とすることができる。また、構成上矛盾のない限り以上の変形態様のうち２以上を適宜組み合わせて臓器保護デバイスを構成することができる。
【００５０】
次に、本発明の方法を好適な実施態様に基づき説明する。
図７は、本発明の方法の好適な実施態様を説明する概略図である。
なお、図７においては説明を容易とするため、各部材の大きさが適宜強調されており、実際の大きさを示すものではない。
【００５１】
本発明の臓器保護方法は、本発明の臓器保護デバイスの内部空間に臓器および臓器と隣接する生体管の少なくとも一部を収納すること（収納ステップ）を特徴とするものである。
【００５２】
また、本実施態様の方法は、さらに、臓器保護デバイスの固定部材を用いて臓器保護デバイスを外部環境に対して固定するステップ（固定ステップ）を有する。
【００５３】
本発明の方法は、いかなる臓器およびこれと連結した生体管に対して用いるものであってもよく、例えば、上述したような臓器および生体管に適用することができる。一例として本実施態様を胆嚢１００および胆嚢管１０１に適用する場合について説明する。
また、臓器保護デバイスとしては、本発明の範囲内にあるものであれば特に限定されないが、本実施態様においては、臓器保護デバイスとして上述した臓器保護デバイス１を用いるものとして説明する。
【００５４】
収納ステップにおいては、胆嚢１００および胆嚢管１０１の少なくとも一部を収納容器２内に収納する。
具体的には、収納容器２を開き、第１の収納部４内に胆嚢１００を配置する。次に、柱状体５５を孔５４１、５４２から取り外した状態で、胆嚢管１０１を第２の収納部５に配置する。次に、胆嚢管１０１を管腔が閉塞しないように適宜形状を整え、胆嚢管１０１を支持するように柱状体５５を孔５４１、５４２に配置する。次に、収納容器２を閉じて、胆嚢１００および胆嚢管１０１の少なくとも一部を収納容器２内に収納する。
なお、胆嚢管１０１の収納と胆嚢１００の収納の順序は、前後してもよい。
【００５５】
次に、固定ステップにおいては、臓器保護デバイス１の固定部材６を用いて臓器保護デバイス１を外部環境２００に対して固定する。
本ステップにおいては、固定部材６を総胆管１０２に結び付けることにより、臓器保護デバイス１の外部環境２００内における位置範囲を固定する。
【００５６】
なお、固定部材６を用いる際に、総胆管１０２の外周を覆うように筒状部材３００を配置し、筒状部材３００に対して固定部材６を連結することが好ましい。これにより、直接総胆管１０２に対して固定部材６を連結する必要がなくなり、総胆管１０２への負担が軽減される。
【００５７】
固定ステップを経た後の臓器保護デバイス１は、例えば、図７に示すような状態にある。胆嚢１００および胆嚢管１０１は、臓器保護デバイス１内に収納されているため、外部の組織による圧迫から保護される。したがって、例えば隣接する臓器に腫瘍が生じた場合であっても、当該臓器による胆嚢１００および胆嚢管１０１への圧迫の影響が、軽減される。
【００５８】
また、胆嚢管１０１は、柱状体５５によって支持されているため、不本意に胆嚢管１０１が折れ曲がることがなく、胆嚢管１０１の管腔の閉塞が防止される。
さらに、固定部材６を用いて臓器保護デバイス１が外部環境２００に対し固定されているため、臓器保護デバイス１が不本意に移動することが防止されており、この結果、胆嚢管１０１が伸びて管腔が閉塞することがより確実に防止される。
【００５９】
以上、本発明によれば、生体管の閉塞を防止しつつ、臓器および生体管をこれらが隣接する組織による圧迫から保護することのできる臓器保護デバイスおよびこれを用いた臓器保護方法を提供することができる。
【００６０】
以上、本発明を図示の実施態様について説明したが、本発明はこれに限定されるものではない。
本発明においては、各構成は、同様の機能を発揮し得る任意のものと置換することができ、あるいは、任意の構成を付加することもできる。
【符号の説明】
【００６１】
１                臓器保護デバイス
２、２Ａ          収納容器
３、３Ａ          ケーシング
３１、３１Ａ      分割面
３２              平面
３３              ヒンジ
３４              係止部
３５              連結部
３５１            貫通孔
４、４Ａ、４Ｂ    第１の収納部
４１              内部空間
４２、４２Ａ      第１の開口部
４３、４３Ａ、４３Ｂ      第２の開口部
４４              膜
５、５Ａ          第２の収納部
５１              内部空間
５２、５２Ａ      第３の開口部
５３１、５３２、５３１Ａ、５３２Ａ      内壁
５４１、５４２    孔
５５              柱状体
５６              収納管
５７１、５７２    溝
５８１、５８２    湾曲部
６                固定部材
１００            胆嚢（臓器）
１０１            胆嚢管（生体管）
１０２            総胆管（生体管）
２００            外部環境
３００            筒状部材
【図１】
2014144179.tif 000003
【図２】
2014144179.tif 000004
【図３】
2014144179.tif 000005
【図４】
2014144179.tif 000006
【図５】
2014144179.tif 000007
【図６】
2014144179.tif 000008
【図７】
2014144179.tif 000009